(57)【要約】【課題】熱によって香りの変化する香料に使用可能で、火気を使用しない安全で、小型な芳香・脱臭具を提供する。【解決手段】円筒状の外缶１０の上部には、表蓋１１Ａが開閉可能に設けられている。円筒状の外缶１０の内部には、収納缶１２が収納されている。段部１２ｆには、上下に網目１６ａ、１６ｂが形成されている仕切り部１６が設けられていて、該仕切り部１６の中には、芳香材または脱臭材２０が収納されている。仕切り部１６の下方には酸化カルシウム１４と、水１７を入れた袋１８が収納されており、該袋１８に紐１９の一方の端が結合されていて、当該紐１９が引かれることにより、前記袋１８が開封されて中にある全ての水１７が急速に酸化カルシウム１４の上に一時に注がれ、両者の化学反応により水蒸気を発生する。水蒸気が誘導体となり芳香成分または脱臭成分が外缶１０外に放出される。【選択図】　図１
2004024677.tif 000002
【特許請求の範囲】
【請求項１】
密封容器内に設けられた仕切り部の上に芳香材または脱臭材が、該仕切り部の下方に化学反応により水蒸気を発生する異なる材料が、前記密封容器内にそれぞれ収納され、前記芳香材または脱臭材が有する芳香成分または脱臭成分を、前記水蒸気を誘導体として前記容器外に放出することを特徴とする芳香発散及び脱臭具。
【請求項２】
前記水蒸気を発生する異なる材料は、酸化カルシウムと水であることを特徴とする請求項１に記載の芳香発散及び脱臭具。
【請求項３】
前記仕切り部は、前記異なる材料の化学反応により発生された水蒸気を通過させる孔を有することを特徴とする請求項１に記載の芳香発散及び脱臭具。
【請求項４】
前記芳香材または脱臭材は、多孔質材料に芳香成分または脱臭成分を含浸させたものであることを特徴とする請求項１に記載の芳香発散及び脱臭具。
【請求項５】
前記多孔質材料は球状の木質セルロース材であって、該木質セルロース材に前記芳香成分または脱臭成分を含浸して、表面又は裏面にセルロース材を塗布したポリプロピレンシートで包装することを特徴とする請求項４に記載の芳香発散及び脱臭具。
【発明の詳細な説明】
【０００１】
【発明の属する技術分野】
本発明は、芳香発散及び脱臭具に関し、特に携帯に便利で、火気を使用しない小型の芳香発散及び脱臭具に関する。
【０００２】
【従来の技術】
日常、人々の香りについての関心は高く、香りの効用を活用することは、古くから行われてきた。しかし、一般的には、芳香剤などとして単一の香りを定常的に香らせるものであった。社会環境の成熟化・高度化により、人々のニーズが多様化し、環境の香りに対する意識も変化してきており、家庭内やオフィス労働環境やアウトドアライフなどの様々な場面で、状況に応じた快適な香り環境が要望されてきている。特に、（イ）航空機、船舶、鉄道、自動車など、火気の使用が制限されている場所での限られた空間での芳香の発散、脱臭、（ロ）病院、老人ホームなど、特異な臭いを放つ環境での芳香の発散、脱臭、（ハ）マンホール、トンネル内など悪臭を発する場所での緊急用芳香の発散、脱臭、更に、（ニ）劇場、学校、各種公共機関の室内での芳香の発散、脱臭など、各種の環境下での芳香の発散、脱臭の要求がある。
【０００３】
前記芳香の発散、脱臭を行なう器具として、一般に密封容器内にガスを芳香剤と共に高圧で封入し、該高圧ガスを誘導体として容器外に放出することにより前記芳香剤を周囲に拡散する芳香発散・脱臭具がある。かかる芳香発散・脱臭具は、一般的には可燃性のガスを使用していることと、高圧に耐える密閉容器が必要であるなどから、その使用場所に制限を受けると共に、低価格化が難しく、前記各種の環境下の芳香、脱臭を行なうための芳香発散・脱臭具が必要である。特に前記各種の環境下では、安全のために火気を用いず、また発火の危険性のないことが必要である。しかし、かかる要求を解決する簡単な芳香発散・脱臭具が従来なかった。
【０００４】
一方、前記火気を用いずに、液体を加熱するものとして、例えば、「燗番娘」（商品名）と呼ばれる、カップ酒がある。かかるカップ酒は、容器の中に入れられた酒の温度を高める目的でなされたものであり、本発明の目的である、香りを放出する目的でなされたものではない。しかし、火気を用いずに、液体を加熱するという意味で同一視しないように、以下にカップ酒について説明する。かかるカップ酒は、周知の生石灰（酸化カルシウム）と水との化学反応熱を利用して酒を温める携帯型のカップ酒であり、図２に示すような断面構造である。即ち、容器１は筒部１ｅ、蓋部１ｃ、底部１ｄから形成される円筒形をしており、その内部は熱を通し易い材料で形成された仕切り部１ｂにより上下に分離されていて、容器全体は密閉されている。仕切り部１ｂの上部、下部にはそれぞれ酒５と発熱体（生石灰）２及び、その中に水５が充満された水容器４が入っている。容器１の内部が仕切り部１ｂにより上下に分離されていることにより、酒５と発熱体２及び水容器４とが分けられている。
【０００５】
蓋部１ｃには周知のプルトップ６が設けられ、該プルトツプ６を引くことにより蓋部１ｃから仕切り部１ｂの上部に入っている酒５を容器の外に出すことができる。水容器４は例えば薄いポリプロピレンのような袋であって、その中には水５が入っていて、爪楊枝のような冶具８を底部１ｄからさしこみ、前記水容器４に穴が開けられる。底部１ｄは、前記冶具８が貫通しやすいように、その一部７が薄く形成されていてもよく、または底部１ｄを前記冶具８が貫通しやすい材料としてもよい。
【０００６】
前記構成のカップ酒は以下のようにして酒５が温められる。即ち、前述のように、図示していない爪楊枝のような冶具８を底部１ｄからさしこみ、前記水容器４に穴を開ける。穴の開いた水容器４からは中に充満した水３が前記穴から徐々に染み出して、発熱体２の中に浸透する。発熱体２は生石灰であって、水３と周知の化学反応を起こし、熱を発し、生石灰は消石灰となる。前記発生された熱は発熱体２を伝わって、仕切り部１ｂを温めると、その上部に入っている酒５が温められる。なお、冶具８を抜いた後に底部１ｄに開けられた穴から前記水３が出ないようになっている。
【０００７】
又、前記火気を用いない芳香発生具として特開平５−３２９１９８号公報に開示されている発明がある。該発明は、図３に示すように、孔あけ可能に容器２１を形成し、この容器２１内に外気と接触することによって発熱する発熱材２２と芳香剤２３とを封入して成る芳香発生具に関するものである。容器２１は気密性に優れた合成樹脂の薄シートを真空成形等して作成され、下面に開口のある容器本体２１ａと、容器本体２１ａの下面の前記開口を密封する気密性に優れた合成樹脂の蓋シート２１ｂとで形成してある。容器本体２１ａの外周にはフランジ片２７が延設してあり、このフランジ片２７の下面に溶着等して貼り付けることによって容器本体２１ａに蓋シート２１ｂを取付けるようにしてある。
【０００８】
発熱材２２は大気中の湿気が作用したり、大気中の酸素が作用したりすることによって、反応を生じて発熱する鉄粉を主成分とする粉体のものや、その他液体のものなど、公知の任意のものを用いることができる。また芳香剤２３は、薫香や練り香、香粉などの固形の芳香剤や、香料をアルコール等に溶解した液状芳香剤など、任意のものを用いることができる。液状芳香剤を用いる場合は例えばマイクロカプセル化して用いるのが好ましい。そしてこの発熱材２２と芳香剤２３とを容器本体２１ａ内に充填して蓋シート２１ｂで密閉することによって、容器２１内に発熱材２２と芳香剤２３とを封入することができるものである。
【０００９】
次に図３（ｃ）のように、先端に針２４を設けた治具２５を用い、この治具２５の針２４で容器２１の容器本体２１ａを突き刺すことによって、容器本体２１ａに孔２６を開ける。このように孔２６を容器１に開けると容器２１内は孔２６によって外気と連通されることになり、容器２１内の発熱材２２に外気が作用して発熱材２２は発熱し、容器２１内の芳香剤２３はこの発熱材２２の発熱によって加熱され、芳香剤２３に含まれる芳香成分は急速に気化され、容器２１の孔２６を通して発散されることになり、短時間で室内に芳香を満たす。
【００１０】
【発明が解決しようとする課題】
本発明者は、芳香の発散、脱臭を行なうために、気体を誘導体として発生し、該気体の拡散を利用することにより速やかに芳香の発散、脱臭を行なえることに着目した。又、気体を誘導体として発生するために周知の生石灰と水との化学反応熱を利用することによって、火気を用いずに気体を発生できることにも着目した。かかる気体を発生する方法としては、周知の化学反応を利用した前記カップ酒があるが、該カップ酒に用いられている方法をそのまま用いると以下のような不具合がある。即ち、前記カップ酒では、水３が発熱体２にゆっくりと浸透してゆくように、細い爪楊枝のような冶具８を用いて水３の入っている水容器４に小さな穴を開ける。その結果、水３が発熱体２にゆっくりと浸透して、酒５の飲み頃の温度を越えない。又、仕切り部１ｂにより酒５と発熱体２とが上下に分離されている結果、発生された熱は仕切り部１ｂから熱伝導によって伝わり、酒５の温度上昇は緩慢である。このように、その反応速度はゆっくりとしている。従って、容器１の中に入っている酒５の代わりに芳香・脱臭材を用いても、気体を誘導体として発生し、該気体の拡散を利用することにより速やかに芳香の発散、脱臭を行うことができない。
【００１１】
又、特開平５−３２９１９８号公報に開示されている発明では、周知の鉄の酸化時に熱が発生する化学反応を利用しているが、加熱された芳香剤２３の芳香は周囲の空気に漂うだけで、速やかに芳香の発散、脱臭を行うことができない。
【００１２】
本発明は、前記課題を解決して、熱によって香りの変化する香料に使用可能で、火気を使用しない安全で、小型な芳香発散及び脱臭具を提供することを目的としてなされたものである。
【００１３】
【課題を解決するための手段】
本発明は、上記目的を達成するために請求項１記載の芳香発散及び脱臭具では、密封容器内に設けられた仕切り部の上に芳香材または脱臭材が、該仕切り部の下方に化学反応により水蒸気を発生する異なる材料が、前記密封容器内にそれぞれ収納され、前記芳香材または脱臭材が有する芳香成分または脱臭成分を、前記水蒸気を誘導体として前記容器外に放出することを特徴とする。
【００１４】
また、第２の解決手段は、請求項１に記載の芳香発散及び脱臭具において、前記水蒸気を発生する異なる材料は、酸化カルシウムと水であることを特徴とする。
【００１５】
また、第３の解決手段は、請求項１に記載の芳香発散及び脱臭具において、前記仕切り部は、前記異なる材料の化学反応により発生された水蒸気を通過させる孔を有することを特徴とする。
【００１６】
また、第４の解決手段は、請求項１に記載の芳香発散及び脱臭具において、前記芳香材または脱臭材は、多孔質材料に芳香成分または脱臭成分を含浸させたものであることを特徴とする。
【００１７】
また、第５の解決手段は、請求項４に記載の芳香発散及び脱臭具において、前記多孔質材料は球状の木質セルロース材であって、該木質セルロース材に前記芳香成分または脱臭成分を含浸して、表面又は裏面にセルロース材を塗布したポリプロピレンシートで包装することを特徴とする。
【００１８】
【発明の実施の形態】
図１は、本発明の実施形態の断面構造図である。図１において、例えば紙製の円筒状の外缶１０の上部には、表蓋１１Ａが開閉可能に設けられている。前記外缶１０は、自動販売機で販売されている飲料缶と同一寸法、（例えば、外径が５４ｍｍ、高さ１０５ｍｍ）であってもよい。かかる場合、前記自動販売機を利用して本発明の芳香発散及び脱臭具を販売することができる。又、後述するように、プレミアを付加してその販売促進をおこなうこともできる。表蓋１１Ａは、前記外缶１０の強度を補強する目的で、例えばアルミまたはプラスチック製の上部１１ａと下部１１ｂとが鍋底形状の蓋であってもよい。
【００１９】
又、円筒状の外缶１０の内部には、収納缶１２がその上部１２ｄ、下部１２ｃで外缶１０の内側に密着するようにして収納されている。例えば外缶１０の外径が５４ｍｍの場合、収納缶１２の外径は約４０ｍｍである。前記収納缶１２は、耐熱性のある例えばポリプロピレン樹脂で形成されている。その底部１２ａには立壁１２ｅが形成されている。該立壁１２ｅは、途中で屈曲して前記下部１２ｃに達している。前記屈曲した部分１２ｂと立壁１２ｅの内径の先端をふさぐ簡易蓋１３とで前記外缶１０の裏蓋１１Ｂが形成されている。
【００２０】
前記簡易蓋１３は、紙、またはアルミ箔などで形成されていて、容易に破ることができる。そして立壁１２ｅと簡易蓋１３との空間には、例えば本芳香発散及び脱臭具を購入した際のプレミアを与える図示していない景品、コインなどが収納されるようになっている。
【００２１】
収納缶１２と外缶１０との間は隙間Ｇ（約５ｍｍ）が設けられていて、後述するようにして収納缶１２内で発生した熱が外缶１０に伝導することを防止し、発生した熱を有効に利用することができる。又、収納缶１２の上部１２ｄは、外缶１０の内壁に当接しており、前記隙間Ｇが設けられている部分で屈曲して段部１２ｆが形成されている。該段部１２ｆには、仕切り部１６が設けられていて、該仕切り部１６の上下には水蒸気を通過させるに充分な大きさの孔を有する網目１６ａ、１６ｂが形成されている。該網目状の仕切り部１６の中には、芳香材または脱臭材２０が収納されている。
【００２２】
前記芳香材または脱臭材２０は、薫香や練り香、香粉などの固形の芳香剤や、香料をアルコール等に溶解した液状芳香剤など、任意のものを用いることができる。前記芳香材または脱臭材として液状芳香剤を用いる場合は、例えば球状の木質セルロース材からなる多孔質材料に芳香成分または脱臭成分を含浸させるようにしてもよい。多孔質材料に芳香成分または脱臭成分を含浸させることにより、芳香成分または脱臭成分の放散を長期に亘り均一に行うことができる。
【００２３】
又、前記多孔質材料を球状にして芳香成分または脱臭成分を含浸させ、該球状の多孔質材料を表面又は裏面にセルロース材を塗布したポリプロピレンシート２１で包装するようにしてもよい。後述するようにして発生した水蒸気が前記ポリプロピレンシート２１に付着すると、セルロース材の分子結合が緩和され、水蒸気が内部に吸収される。内部に浸入した水蒸気は多孔質材料に含浸されている芳香成分または脱臭成分の分子をとりこみ、外部に排出される。その結果、水蒸気が発生しない状態ではセルロース材の分子結合が緩和されず、芳香成分または脱臭成分２０がポリプロピレンシート２１の外に漏出することを防止できる。
【００２４】
芳香材または脱臭材２０が収納された仕切り部１６の下方には化学反応により水蒸気を発生する異なる材料として、例えば酸化カルシウム（生石灰）１４と水１７が、それぞれ収納缶１２内に以下のように収納されている。即ち、前記外缶１０と収納缶１２の寸法の場合、酸化カルシウム１４を約１３ｇ、水１７を１６ｇ収納缶１２に収納されている。但し、水１７は耐水性の樹脂などの入れ物、例えば袋１８に収納されており該袋１８には、それを開封するために、袋１８の内側の端に紐１９が上から下まで通されていて、その先端は固定され、該紐１９が引かれると、紐１９がカッターの役割を果して前記袋１８の端を内側から切り裂く構造である。前記袋１８は、後述する紐１９が引かれた時に袋１８が動かないように収納缶１２の内壁に例えば接着材などにより固定されている。または、袋１８が後述する紐１９により引き上げられて仕切り部１６の下方にあたり、その結果、紐１９により当該袋１８が破られるようにしてもよい。
【００２５】
前記紐１９の他方の端は、前記仕切り部１６に形成されている網目１６ｂ、１６ａを通り、当該仕切り部１６の上に配置される。前記紐１９は、表蓋１１Ａが開かれた時に、引っ張れるような形状及び長さである。前記紐１９は、使用者の利用を勘気するために着色されてあってもよい。かかる構造において、当該紐１９が引かれることにより、前記袋１８が開封されて中にある全ての水１７が袋１８の外に急速に出て酸化カルシウム１４の上に一時に注がれる。なお、前記水１７を入れておく耐水性の樹脂などの入れ物は、前記のような袋以外に、収納缶１２の内壁に接するような缶であっても良く、この場合でも紐１９を引くことによって、例えば前記缶の底が破れ、水１７が缶の外に急速に出て酸化カルシウム１４の上に一時に注がれるような構造である。
【００２６】
前記図１に示した芳香発散及び脱臭具は以下のように作用する。図１において、表蓋１１Ａが開かれると、仕切り部１６の上には紐１９の一方の端がある。かかる紐１９の一方の端が引かれると、その他方の端に結合された袋１８が破かれる。そして、袋１８の中に入っている水１７が酸化カルシウム１４の上に一時に注がれる。酸化カルシウム１４の上に水１７が一時に注がれることにより化学反応が生じ、水１７は反応熱により熱せられ、水蒸気が発生される。
【００２７】
水蒸気は、網目１６ａ、１６ｂを通り、前記ポリプロピレンシート２１に付着すると、セルロース材の分子結合が緩和され、水蒸気が内部に吸収される。内部に浸入した水蒸気は、多孔質材料に含浸されている芳香成分または脱臭成分の分子をとりこみ、該水蒸気を誘導体として芳香成分または脱臭成分が外缶１０外に放出される。
【００２８】
【発明の効果】
請求項１及び２に記載の芳香発散及び脱臭具によれば、気体を誘導体として発生し、該気体の拡散を利用することにより速やかに芳香、脱臭を行なった。又、気体を誘導体として発生するために生石灰と水との化学反応熱を急速に生じせしめて水蒸気を発生することによって、火気を用いずに気体を発生することができた。この結果、（従来の技術）で前述したような各種の環境下の芳香の発散、脱臭ができる。
【００２９】
請求項３記載の芳香発散及び脱臭具によれば、前記仕切り部は、前記異なる材料の化学反応により発生された水蒸気を通過させる孔を有することにより、発生した水蒸気を有効に利用できる。
【００３０】
請求項４記載の芳香発散及び脱臭具によれば、多孔質材料に芳香成分または脱臭成分を含浸させることにより、芳香成分または脱臭成分の放散を長期に亘り均一に行うことができる。
【００３１】
請求項５記載の芳香発散及び脱臭具によれば、多孔質材料を表面又は裏面にセルロース材を塗布したポリプロピレンシートで包装することにより、使用時には芳香材または消臭材を無駄なく放出すると共に、使用していない時は芳香材または消臭材の無駄な蒸発を防止できる。
【図面の簡単な説明】
【図１】本発明による芳香発散及び脱臭具の実施形態の断面構造図である。
【図２】従来のカップ酒の断面構造図である。
【図３】従来の芳香発生具の実施携帯であって、図３（ａ）は外観図、図３（ｂ）は断面図、図３（ｃ）は作用説明図である。
【符号の説明】
１０　外缶
１１Ａ　表蓋
１２　収納缶
１３　簡易蓋１３
１４　酸化カルシウム
１６　仕切り部
１７　水
１８　袋
１９　紐
２０　芳香材または脱臭材
２１　ポリプロピレンシート
【図１】
2004024677.tif 000003
【図２】
2004024677.tif 000004
【図３】
2004024677.tif 000005